(57)【要約】【課題】電子機器に使用されている汎用的な機能モジュールを環境履歴も考慮して、その残存寿命を判断し再利用するための電子機器を構成する機能モジュールの再利用方法を提供する。【解決手段】ＩＤタグ機能部を有する機能モジュールを含む電子機器に対して、履歴モジュールを電子機器に装着するステップと、電子機器の使用開始から回収処理までの期間中に、履歴モジュールが電子機器の使用状態および使用される環境条件に対する履歴データを記憶するステップと、電子機器を回収して機能モジュール単位に分解するときに、履歴モジュールが蓄積した履歴データをＩＤタグ機能部に記憶させるステップと、分解された機能モジュールを同一の機能モジュールごとに分別するステップと、同一の機能モジュールのそれぞれについてＩＤタグ機能部の履歴データを読み取り、設定値と比較して履歴データが設定値以内である場合には再利用にまわすステップとを含む。【選択図】図３
2006259814.tif 000002
【特許請求の範囲】
【請求項１】
ＩＤタグ機能部を有する機能モジュールを含む電子機器に対して、履歴モジュールを装着するステップと、
前記履歴モジュールは、記憶部とデータ取込部とセンサ部と履歴制御部とを備え、前記データ取込部により前記電子機器の使用状態のデータを取込み、前記センサ部により前記電子機器の環境条件を検知し、前記履歴制御部により前記データ取込部と前記センサ部の情報に基づき履歴データを作成して前記記憶部に記憶させるステップと、
前記電子機器を前記機能モジュール単位に分解するときに、前記履歴モジュールの前記履歴データを前記ＩＤタグ機能部に記憶させるステップと、
分解された前記機能モジュールを同一の機能モジュールごとに分別するステップと、
前記同一の機能モジュールのそれぞれについて、前記ＩＤタグ機能部の前記履歴データを読み取り、あらかじめ設定した設定値と前記履歴データとを比較して、前記履歴データが前記設定値以内である前記機能モジュールを再利用するステップとを含むことを特徴とする、電子機器を構成する機能モジュールの再利用方法。
【請求項２】
前記ＩＤタグ機能部を有する前記機能モジュールを前記電子機器に装着する前に、それぞれの前記機能モジュールの前記設定値をあらかじめ前記ＩＤタグ機能部に記録しておき、
前記履歴データと前記設定値の両方を前記ＩＤタグ機能部から読み取ることを特徴とする請求項１に記載の電子機器を構成する機能モジュールの再利用方法。
【請求項３】
前記ＩＤタグ機能部は、前記機能モジュールと一体的に形成されていることを特徴とする請求項１または請求項２に記載の電子機器を構成する機能モジュールの再利用方法。
【請求項４】
複数の機能モジュールを含む電子機器に対して、履歴モジュールを装着するステップと、
前記履歴モジュールは、記憶部とデータ取込部とセンサ部と履歴制御部とを備え、前記データ取込部により前記電子機器の使用状態のデータを取込み、前記センサ部により前記電子機器の環境条件を検知し、前記履歴制御部により前記データ取込部と前記センサ部の情報に基づき履歴データを作成して前記記憶部に記憶させるステップと、
前記電子機器を前記機能モジュール単位に分解するときに、前記履歴モジュールの前記履歴データをＩＤタグに記憶させ、前記ＩＤタグを前記機能モジュールのそれぞれに貼着するステップと、
分解された前記機能モジュールを同一の機能モジュールごとに分別するステップと、
前記同一の機能モジュールのそれぞれについて、前記ＩＤタグの前記履歴データを読み取り、あらかじめ設定した設定値と前記履歴データとを比較して、前記履歴データが前記設定値以内である前記機能モジュールを再利用するステップとを含むことを特徴とする、電子機器を構成する機能モジュールの再利用方法。
【請求項５】
前記履歴モジュールが前記電子機器に装着される前に、それぞれの前記機能モジュールの前記設定値をあらかじめ前記記憶部に記憶させておき、
前記履歴データと前記設定値の両方を前記履歴モジュールから読み取り、前記機能モジュールに対応する前記設定値および前記履歴データとを前記ＩＤタグに記憶させることを特徴とする請求項４に記載の電子機器を構成する機能モジュールの再利用方法。
【請求項６】
前記履歴モジュールは、前記電子機器の電源と直接接続されており、前記電子機器が不使用状態でも前記履歴データを記憶することを特徴とする請求項１から請求項５までのいずれかに記載の電子機器を構成する機能モジュールの再利用方法。
【請求項７】
ＩＤタグ機能部を有する機能モジュールと履歴モジュールとを含む電子機器において、前記履歴モジュールは、記憶部と、前記電子機器の使用状態のデータを取込むデータ取込部と、前記電子機器の環境条件を検知するセンサ部と、前記データ取込部と前記センサ部の情報に基づき履歴データを作成して前記記憶部に記憶させる履歴制御部からなり、前記電子機器を前記機能モジュール単位に分解するときに、前記履歴モジュールの前記履歴データを前記ＩＤタグ機能部に記憶させることを特徴とする電子機器。
【発明の詳細な説明】
【技術分野】
【０００１】
本発明は、機能モジュールを組み合わせて構成される各種の電子機器における機能モジュールの再利用方法に関する。
【背景技術】
【０００２】
近年、環境保護の見地から各種産業廃棄物に対する規制は厳しさを増しており、電気製品に対しても廃棄量の低減および使用部材の再利用率の向上が求められている。このような要請に対応するために、電気製品等の製品本体または部品にＩＤタグを装着して製品の各構成部品のリサイクル情報を記録しておき、電気製品の使用期間終了後の回収・廃棄時に、ＩＤタグに記録されている情報を読み出して構成部品の再利用の可能性を判断する再利用方法が提案されている。
【０００３】
例えば、製品に装着したＩＤタグに、製品の各構成部品についての寿命時間、使用材料、その部品の交換記録、稼動積算時間、廃棄時に再利用するときの処置区分等のリサイクル情報を記録しておき、製品の廃棄時にＩＤタグに記録されている情報を読み出して、分別の判断に用いる方法が示されている（例えば、特許文献１参照）。
【０００４】
また、以下のような方法も示されている。すなわち、部品工場で各部品にＩＤタグを装着して部品に関する個別データを書き込んでおき、製品工場で部品を使用するとその部品を補充するために、ＩＤタグから読み出したデータをもとに発注を行う。さらに、製品が市場で使われた後に解体工場で解体される際に、ＩＤタグから読み出したデータに基づいて部品の再利用可能性の判断を行い、再利用可能な部品は、ＩＤタグに解体に関する個別データを書き込んだ後、修理工場または製品工場に出荷する方法である（例えば、特許文献２参照）。
【特許文献１】特開２００２−１４３８２６号公報
【特許文献２】特開２００３−１４０７２５号公報
【発明の開示】
【発明が解決しようとする課題】
【０００５】
しかし、近年の電気製品は殆ど全てが電子回路を備えた電子機器であり、電子機器製品、すなわちその使用部材の寿命は単に電子機器の稼動時間だけで決まるものではなく、その電子機器が使用されるときの環境条件によって特性の劣化、すなわち寿命劣化が進むことがある。
【０００６】
したがって、上記提案に示されたような廃棄物の再利用方法は電子機器製品およびその使用部材に対して適切でなく、電子機器の使用環境の影響も考慮して再利用可能性の判断をする必要がある。
【０００７】
一方、近年の電子機器製品の多機能・高精度化に対応するために、電子機器の共通的な機能に対しては、汎用的な機能モジュールを使用することが多くなっている。このような機能モジュールは、その残存寿命が充分にある場合には、そのまま再利用することが望ましい。しかも、比較的汎用的な機能モジュールであれば再利用して用いる電子機器も多く存在する。このようにできれば、使用部材の再利用の効率が向上し、環境負荷に対する低減ができるだけでなく、新しく製造される電子機器の低コスト化も可能となる。
【０００８】
本発明は、このような電子機器製品の使用部材の再利用に対する課題を解決するためになされたものであり、電子機器に使用されている汎用的な機能モジュールを環境履歴も考慮して、その残存寿命を判断し再利用するための機能モジュールの再利用方法を提供することを目的とする。
【課題を解決するための手段】
【０００９】
上述したような課題を解決するために、本発明の機能モジュールの再利用方法は、ＩＤタグ機能部を有する機能モジュールを含む電子機器に対して、履歴モジュールを装着するステップと、履歴モジュールは記憶部とデータ取込部とセンサ部と履歴制御部とを備え、データ取込部により電子機器の使用状態のデータを取込み、センサ部により電子機器の環境条件を検知し、履歴制御部によりデータ取込部とセンサ部の情報に基づき履歴データを作成して記憶部に記憶させるステップと、電子機器を機能モジュール単位に分解するときに、履歴モジュールの履歴データをＩＤタグ機能部に記憶させるステップと、分解された機能モジュールを同一の機能モジュールごとに分別するステップと、同一の機能モジュールのそれぞれについてＩＤタグ機能部の履歴データを読み取り、あらかじめ設定した設定値と履歴データとを比較して履歴データが設定値以内である機能モジュールを再利用するステップとを含む方法からなる。
【００１０】
このような方法によれば、電子機器の使用期間中に、それぞれの機能モジュールが寿命劣化に関連する環境条件に遭遇したかどうか、例えば温度や湿度、さらには衝撃等をセンサ部で検知する。そして、設定された温度以上に曝されていた時間を履歴データとして記憶部に記憶させ、また、設定された値以上の衝撃力を受けた回数を履歴データとして記憶部に記憶させる。さらに、電子機器の実際の使用時間をデータ取込部で取込み、記憶部に記憶させる。
【００１１】
そして、電子機器の使用期間終了後の回収時に、それぞれの機能モジュールに設けられているＩＤタグ機能部にこれらのデータを記憶させる。このようにすることにより、機能モジュールごとに分別して再利用可能かどうかの判断をするときに、ＩＤタグ機能部のデータとあらかじめ設定した設定値とを比較することで容易に判定することができる。
【００１２】
また、上記方法において、ＩＤタグ機能部を有する機能モジュールを電子機器に装着する前に、それぞれの機能モジュールの設定値をあらかじめＩＤタグ機能部に記録しておき、履歴データと設定値の両方をＩＤタグ機能部から読み取るようにしてもよい。
【００１３】
このような方法とすれば、それぞれの機能モジュールの設定値があらかじめそれぞれのＩＤタグ機能部に記録されているので、履歴モジュールから履歴データをＩＤタグ機能部に記憶させれば、容易に設定値と履歴データとの比較を行うことができる。
【００１４】
また、上記方法において、ＩＤタグ機能部は機能モジュールと一体的に形成されていてもよい。このような方法とすれば、機能モジュールが有している記憶部のうちの一部をＩＤタグ機能部のために使用し、機能モジュールが有している制御部等によりＩＤタグ機能部の制御を行うことができる。したがって、部品点数の増加を最小限としながらＩＤタグ機能部を構成することができる。
【００１５】
また、本発明の機能モジュールの再利用方法は、複数の機能モジュールを含む電子機器に対して、履歴モジュールを装着するステップと、履歴モジュールは記憶部とデータ取込部とセンサ部と履歴制御部とを備え、データ取込部により電子機器の使用状態のデータを取込み、センサ部により電子機器の環境条件を検知し、履歴制御部によりデータ取込部とセンサ部の情報に基づき履歴データを作成して記憶部に記憶させるステップと、電子機器を機能モジュール単位に分解するときに、履歴モジュールの履歴データをＩＤタグに記憶させ、ＩＤタグを機能モジュールのそれぞれに貼着するステップと、分解された機能モジュールを同一の機能モジュールごとに分別するステップと、同一の機能モジュールのそれぞれについて、ＩＤタグの履歴データを読み取り、あらかじめ設定した設定値と履歴データとを比較して履歴データが設定値以内である機能モジュールを再利用するステップとを含む方法からなる。
【００１６】
このような方法によれば、機能モジュールにはＩＤタグ機能部が付設されず、電子機器に履歴モジュールを装着するのみでよいので、電子機器の製造工程の変更等が生じず、電子機器の設計が容易となる。
【００１７】
一方、電子機器の使用期間中に、それぞれの機能モジュールが寿命劣化に関連する環境条件に遭遇したかどうか、あるいは環境温度をセンサ部で検知し、この温度以上に曝されていた時間を履歴データとして記憶部に記憶させておくことができる。さらに、電子機器の実際の使用時間をデータ取込部で取込んで記憶部に記憶させておくこともできる。
【００１８】
電子機器の使用期間終了後の回収時に、別に用意したＩＤタグにそれぞれの機能モジュールごとの履歴データを記憶させてから、このＩＤタグを機能モジュールに貼着することにより、これらの機能モジュールごとに分別して再利用可能かどうかの判断をするときに、ＩＤタグのデータとあらかじめ設定した設定値とを比較することで容易に判定することができる。
【００１９】
また、上記方法において、履歴モジュールが電子機器に装着される前に、それぞれの機能モジュールの設定値をあらかじめ記憶部に記憶させておき、履歴データと設定値の両方を履歴モジュールから読み取り、機能モジュールに対応する設定値および履歴データとをＩＤタグに記憶させるようにしてもよい。
【００２０】
このような方法とすれば、それぞれの機能モジュールの設定値があらかじめ履歴モジュールに記録されているので、履歴モジュールから履歴データとそれぞれの機能モジュールの設定値とをＩＤタグに記憶させれば、容易に設定値と履歴データとの比較を行うことができる。
【００２１】
さらに、上記方法において、履歴モジュールは電子機器の電源と直接接続されており、電子機器が不使用状態でも履歴データを記憶するようにしてもよい。
【００２２】
このような方法とすれば、履歴モジュールを装着した電子機器が稼動状態でない場合にも、履歴モジュールにより電子機器が保持される周辺の環境条件をセンサにより検知して、履歴データとして取込むことができるので、再利用可能かどうかについてのより確実な判断が可能となる。
【００２３】
また、本発明の電子機器は、ＩＤタグ機能部を有する機能モジュールと履歴モジュールとを含み、履歴モジュールは記憶部と、電子機器の使用状態のデータを取込むデータ取込部と、電子機器の環境条件を検知するセンサ部と、データ取込部とセンサ部の情報に基づき履歴データを作成して記憶部に記憶させる履歴制御部からなり、電子機器を機能モジュール単位に分解するときに履歴モジュールの履歴データをＩＤタグ機能部に記憶させる構成からなる。
【００２４】
この構成により、電子機器を回収したときに再利用の可否を容易に判断できる。
【００２５】
なお、本発明の機能モジュールの再利用方法として適用するのに適した電子機器としては、例えば携帯電話、電子辞書、電子ブック、ＰＤＡ等の携帯型の電子機器や、ナビ方法等の自動車に搭載される電子機器等がある。これらは、例えばメモリモジュール等のような機能モジュールを大量に使用し、かつ移動等により環境条件の変動が大きいので、本発明の機能モジュールの再利用方法の適用に好適である。
【発明の効果】
【００２６】
本発明によれば、電子機器の使用期間終了後の回収時に、環境履歴も考慮して、その残存寿命を判断し、機能モジュールの再利用を推進することができる。この結果、環境負荷の低減と同時に新しく製造する電子機器の低コスト化も可能となるという大きな効果を奏する。
【発明を実施するための最良の形態】
【００２７】
以下、本発明の実施の形態について、携帯電話を電子機器の例として機能モジュールの再利用方法について図面を参照しながら説明する。
【００２８】
（第１の実施の形態）
図１は、本発明の第１の実施の形態における機能モジュールの再利用方法において対象とする携帯電話の構成を示すブロック図である。
【００２９】
図１に示すように、本実施の形態で対象とする携帯電話１は各種の機能モジュールで構成されている。
【００３０】
すなわち、パネルスイッチからなる操作モジュール２、液晶等からなる表示モジュール３、マイクロホンとスピーカおよびアンテナ１１を備えた送・受信モジュール４、撮像素子を有するカメラモジュール５、入出力信号の符号化・圧縮化を行う半導体素子等からなる信号処理モジュール６、所定の情報を記憶するメモリモジュール７、各種情報の信号化や周波数の選択等、携帯電話１全体の制御を行う半導体素子を含む回路からなる制御モジュール８、およびこれらを働かせるための電源モジュール９により構成されている。
【００３１】
これらの機能モジュールは制御モジュール８により制御されており、それぞれ表示や撮像等の作動を行い、携帯電話１として機能する。本実施の形態の携帯電話１では、これらの構成に加えて、さらに携帯電話１の使用開始から回収処理に至るまでの期間中に使用実態のデータとともに環境条件に関するデータを記憶する履歴モジュール１０が設けられている。
【００３２】
そして、上記機能モジュールのうち本実施の形態では、表示モジュール３、カメラモジュール５およびメモリモジュール７には、携帯電話１の使用期間終了後の回収時に履歴データを記憶させるためのＩＤタグ機能部１４、１５、１６が設けられている。以下では、これらの機能モジュールをＡグループ・モジュールとよぶ。一方、その他の機能モジュールである操作モジュール２、送・受信モジュール４、信号処理モジュール６、制御モジュール８および電源モジュール９には、本実施の形態の場合、ＩＤタグ機能部は設けられていない。すなわち、これらの機能モジュールについては、本実施の形態では回収後の再利用を検討せず、廃棄処理を行う。以下では、これらの機能モジュールをＢグループ・モジュールとよぶ。
【００３３】
図２は、本実施の形態にかかる機能モジュールの再利用方法において、履歴モジュールの構成を示すブロック図である。履歴モジュール１０は、記憶素子からなる記憶部１７と、携帯電話１の実際の使用時間等の使用状態のデータを取込むデータ取込部１８と、携帯電話１が保持される周辺の環境条件を検知するセンサ部１９と、データ取込部１８とセンサ部１９の情報に基づき記憶すべきデータを作成し、記憶部１７に記憶させる履歴制御部２０から構成されている。
【００３４】
なお、履歴モジュール１０は直接に電源モジュール９に接続されている。したがって、携帯電話１をユーザが使用しないとき、あるいは携帯電話１自体の電源がＯＦＦであっても、履歴モジュール１０には通電される。これにより、携帯電話１が不使用状態である非通話時においても環境条件の変化をセンサ部１９で感知した後、履歴制御部２０で必要なデータに加工し履歴データとして記憶部１７に記憶しておくことができる。
【００３５】
センサ部１９には、例えば温度センサと加速度センサが装着されている。携帯電話１が設定された温度範囲を超える環境条件下に曝された場合には、温度センサはその温度と時間とを検出して履歴制御部２０に送り、履歴制御部２０はそれらのデータを加工し履歴データとして記憶部１７に記憶させる。また、携帯電話１が落下衝撃等の設定された値を超える加速度を受けた場合には、加速度センサがその回数を検出して履歴制御部２０へ送り、履歴制御部２０はそれらのデータを加工し履歴データとして記憶部１７に記憶させる。
【００３６】
以下、本実施の形態の携帯電話１についての機能モジュールの再利用方法の手順を図３のフローチャートを用いて説明する。図３は、本実施の形態の機能モジュールの再利用方法の手順を示すフローチャートである。上記したように、本実施の形態では、携帯電話の製造業者等によりあらかじめＩＤタグ機能部１４、１５、１６がそれぞれ設けられた表示モジュール３、カメラモジュール５およびメモリモジュール７を含めた種々の機能モジュールを用いて携帯電話１が作製される。この作製時に、履歴モジュール１０も携帯電話１に組み込まれる（Ｓ０１）。
【００３７】
履歴モジュール１０は、電源モジュール９に直接接続される他、制御モジュール８にも接続される。電源モジュール９からは電源の供給を受ける。また、制御モジュール８からは携帯電話１の実使用時間を含む使用履歴データを受け取る。この状態で、上記したように携帯電話１が使用されている期間にわたって、履歴モジュール１０は履歴データを蓄積していく（Ｓ０２）。
【００３８】
ユーザが携帯電話１を使用し、最終的に廃棄しようとしたときには、その携帯電話１は回収業者により回収される（Ｓ０３）。
【００３９】
回収された携帯電話１は、図１に示したようにＩＤタグ機能部が設けられた機能モジュールであるＡグループ・モジュールと、再利用を検討しない機能モジュールであるＢグループ・モジュールと、履歴データを記憶するための履歴モジュール１０から構成されているので、これらを機能モジュール単位に分解する。さらに、Ａグループ・モジュールである表示モジュール３、カメラモジュール５およびメモリモジュール７については、履歴モジュール１０とそれぞれ接続して、履歴モジュール１０に蓄積されている履歴データをＩＤタグ機能部１４、１５、１６にそれぞれ入力する（Ｓ０４）。
【００４０】
つぎに、それぞれの機能モジュール単位に分別する（Ｓ０５）。すなわち、表示モジュール３、カメラモジュール５およびメモリモジュール７を、それぞれの機能モジュール別に分別する。一方、Ｂグループ・モジュールについては、再利用しないため、これらは廃棄処理工程へまわす（Ｓ１０）。
【００４１】
同一の機能モジュールごとに分別されたＡグループ・モジュールの表示モジュール３、カメラモジュール５およびメモリモジュール７については、それぞれの分別機（図示せず）によりＩＤタグ機能部１４、１５、１６に記憶された履歴データを読み取る。つぎに、分別機により、あらかじめ設定した設定値と履歴データとを比較して、履歴データが設定値以内であるかどうかの判断を行う（Ｓ０６、Ｓ０７、Ｓ０８）。
【００４２】
比較した結果が設定値以内であれば再利用工程へまわし（Ｓ０９）、設定値を超えていれば廃棄処理工程へまわす（Ｓ１０）。
【００４３】
例えば、表示モジュール３の場合、液晶の残存寿命を判断するために、ＩＤタグ機能部１４に記憶された履歴データの中の温度履歴に関するデータと実使用時間を、それぞれ設定した限界値と比較する。この限界値が設定値となる。この比較結果、温度履歴データおよび実使用時間ともに設定した限界値以内であれば再利用可能であるとする。なお、当然のことながら、機能的には再利用可能であっても外観に汚れ等が目立つ場合には再利用できないため、さらに外観検査も行う。
【００４４】
また、カメラモジュール５の場合には、衝撃による影響を受けやすい。したがって、ＩＤタグ機能部１５に記憶された履歴データの中の温度履歴に関するデータと加速度に関するデータを、それぞれ設定した限界値と比較する。この比較結果、温度履歴データおよび加速度に関するデータともに設定した限界値以内であれば再利用可能であるとする。なお、機能的には再利用可能であっても外観に汚れ等が目立つ場合には再利用できないため、さらに外観検査を行うことについては、表示モジュール３と同様である。
【００４５】
さらに、メモリモジュール７の場合、半導体素子に対する温度履歴により寿命を推定することができる。このため、ＩＤタグ機能部１６に記憶された履歴データの中の温度履歴に関するデータを設定した限界値と比較する。この比較結果、温度履歴データが設定した限界値以内であれば再利用可能であるとする。なお、メモリモジュール７の場合には、外観検査はあまり必要ではない。
【００４６】
このようにして、Ａグループ・モジュールとした表示モジュール３、カメラモジュール５およびメモリモジュール７のそれぞれについて、ＩＤタグ機能部１４、１５、１６の履歴データをもとにして再利用の可否を容易に判断することができる。
【００４７】
以上のように本実施の形態によれば、携帯電話１をユーザが使用している間の温度、衝撃力および実使用時間等の履歴データをとり、履歴モジュール１０にそのデータを蓄積し、分別時にそれぞれのＩＤタグ機能部１４、１５、１６にこれらの履歴データを入力する。この結果、分別作業において、この履歴データを読み取り、あらかじめ設定した限界値と比較すれば、再利用可能かどうかを容易に判定できる。
【００４８】
なお、本実施の形態では、ＩＤタグ機能部１４、１５、１６はそれぞれの機能モジュールと一体的に形成する構成としてもよい。例えば、メモリモジュール７の場合、ＩＤタグ機能部１６のうちのメモリ機能はメモリモジュール７のメモリの一部を利用し、入出力については、メモリモジュール７の入出力端子を利用し、ＩＤタグ機能部１６の制御についてはメモリモジュール７の制御部を利用することもできる。このような構成とすれば、ＩＤタグ機能部１６のために特別に部品を付加しなくてもＩＤタグ機能部１６を構成することもできる。したがって、コストアップを招かない。
【００４９】
なお、履歴モジュール１０のセンサ部１９で温度等を連続的に検知しても、この値が設定した限界値以内であれば、履歴制御部２０はデータ取込部１８に対してこのデータを取込まないようにさせてもよい。すなわち、センサ部１９が検知したデータが限界値を超えている場合のみ、履歴制御部２０はデータ取込部１８に対してそのデータの取込を命令し、履歴制御部２０はその限界値と、限界値を超えていた時間の、例えば積分値を履歴データとして記憶部１７に記憶させるようにしてもよい。このようにすれば、履歴モジュール１０の記憶部１７の記憶容量を小さくすることができ、履歴モジュール１０を低コストにすることができる。
【００５０】
また、加速度の場合には、設定した加速度を超えた回数のみを記憶部１７に記憶させるだけでもよい。
【００５１】
さらに、実使用時間については、携帯電話１の制御モジュール８が作動状態である時間の積分値を個々に記憶部１７に記憶させるだけでもよい。
【００５２】
また、履歴モジュール１０が携帯電話１に装着される前に、再利用すべき機能モジュールのあらかじめ設定した限界値を記憶部１７に記憶させておいてもよい。このようにすれば、履歴モジュール１０から履歴データとそれぞれの機能モジュールの設定値とを読み取ってＩＤタグ機能部１４、１５、１６にそれぞれに記憶させることができる。これにより、分別機での判定をより容易に行うこともできる。
【００５３】
（第２の実施の形態）
図４は、本発明の第２の実施の形態における機能モジュールの再利用方法において対象とする携帯電話の構成を示すブロック図である。
【００５４】
図４に示すように、本実施の形態で対象とする携帯電話３１は、携帯電話３１を構成する種々の回路が機能モジュールとして作製されており、これらを組み合わせて形成されている。
【００５５】
すなわち、パネルスイッチからなる操作モジュール２、液晶等からなる表示モジュール３３、マイクロホンとスピーカおよびアンテナ１１を備えた送・受信モジュール４、撮像素子を有するカメラモジュール３４、入出力信号の符号化・圧縮化を行う半導体素子等からなる信号処理モジュール６、所定の情報を記憶するメモリモジュール３５、各種情報の信号化や周波数の選択等、携帯電話３１の全体の制御を行う半導体素子を含む回路からなる制御モジュール８、およびこれらを働かせるための電源モジュール９により構成されている。
【００５６】
これらの構成は、表示モジュール３３、カメラモジュール３４およびメモリモジュール３５を除いては第１の実施の形態の携帯電話１と同じであるので同じ符号を付している。
【００５７】
これらの機能モジュールは制御モジュール８により制御されており、それぞれ表示や撮像等の作動を行い、携帯電話３１として機能する。本実施の形態の携帯電話３１では、これらの構成に加えて、さらに携帯電話３１の使用開始から回収処理に至るまでの期間中に使用実態のデータとともに環境条件に関するデータを記憶する履歴モジュール１０が設けられている。
【００５８】
また、第１の実施の形態の携帯電話１では、表示モジュール３、カメラモジュール５およびメモリモジュール７には、携帯電話１の使用期間終了後の回収時に履歴データを記憶させるためのＩＤタグ機能部１４、１５、１６を設けていたが、本実施の形態の携帯電話３１では、これらをまったく設けていない。この点が第１の実施の形態の携帯電話１とは異なる点である。
【００５９】
なお、本実施の形態においても、再利用を検討する機能モジュールと再利用を検討しない機能モジュールとは、あらかじめ設定されている。本実施の形態では、表示モジュール３３、カメラモジュール３４およびメモリモジュール３５が再利用を検討する対象であり、これらの機能モジュールをＡグループ・モジュールとよぶ。一方、その他の機能モジュールである操作モジュール２、送・受信モジュール４、信号処理モジュール６、制御モジュール８および電源モジュール９は、本実施の形態の場合、再利用を検討せず、廃棄処理の対象となるものである。以下では、これらの機能モジュールをＢグループ・モジュールとよぶ。
【００６０】
本実施の形態の履歴モジュール１０は、第１の実施の形態に関して図２で説明したと同様な構成である。すなわち、図２に示すように、記憶素子からなる記憶部１７と、携帯電話３１の実際の使用時間等の使用状態のデータを取込むデータ取込部１８と、携帯電話３１が保持される周辺の環境条件を検知するセンサ部１９と、データ取込部１８とセンサ部１９の情報に基づき記憶すべきデータを作成し、記憶部１７に記憶させる履歴制御部２０から構成されている。
【００６１】
なお、履歴モジュール１０は直接に電源モジュール９に接続されている。したがって、携帯電話３１をユーザが使用しないとき、あるいは携帯電話３１自体の電源がＯＦＦであっても、履歴モジュール１０には通電される。これにより、携帯電話３１が不使用状態である非通話時においても環境条件の変化をセンサ部１９で感知した後、履歴制御部２０で必要なデータに加工し履歴データとして記憶部１７に記憶しておくことができる。
【００６２】
センサ部１９には、例えば温度センサと加速度センサが装着されている。携帯電話３１が設定された温度範囲を超える環境条件下に曝された場合には、温度センサはその温度と時間とを検出して履歴制御部２０に送り、履歴制御部２０はそれらのデータを加工し履歴データとして記憶部１７に記憶させる。また、携帯電話３１が落下衝撃等の設定された値を超える加速度を受けた場合には、加速度センサがその回数を検出して履歴制御部２０へ送り、履歴制御部２０はそれらのデータを加工し履歴データとして記憶部１７に記憶させる。
【００６３】
以下、本実施の形態の携帯電話３１についての機能モジュールの再利用方法の手順を、図５のフローチャートを用いて説明する。図５は、本実施の形態の機能モジュールの再利用方法の手順を示すフローチャートである。上記したように、本実施の形態ではＩＤタグ機能部やＩＤタグそのもの等が設置あるいは貼着されていない表示モジュール３３、カメラモジュール３４およびメモリモジュール３５を含めて、種々の機能モジュールを用いて携帯電話３１が作製される。この作製時に、履歴モジュール１０が携帯電話３１に組み込まれる（Ｓ１１）。
【００６４】
履歴モジュール１０は、電源モジュール９に直接接続される他、制御モジュール８にも接続される。電源モジュール９からは電源の供給を受ける。また、制御モジュール８からは携帯電話３１の実使用時間を含む使用履歴データを受け取る。この状態で、上記したように携帯電話３１が使用されている期間にわたって、履歴モジュール１０は履歴データを蓄積していく（Ｓ１２）。
【００６５】
ユーザが携帯電話３１を使用し、最終的に廃棄しようとしたときには、その携帯電話３１は回収業者により回収される（Ｓ１３）。
【００６６】
回収された携帯電話３１は、再利用を検討する機能モジュールであるＡグループ・モジュールと、再利用を検討しない機能モジュールであるＢグループ・モジュールと、履歴データを記憶するための履歴モジュール１０から構成されているので、これらを機能モジュール単位に分解する。
【００６７】
ＩＤタグを準備して、履歴モジュール１０とＩＤタグとを接続し、履歴モジュール１０に蓄積されている履歴データをＩＤタグにそれぞれ入力する（Ｓ１４）。なお、履歴モジュール１０とＩＤタグとの接続は接触方式でも、非接触方式であってもよい。
【００６８】
履歴データが入力されたＩＤタグを、Ａグループ・モジュールである表示モジュール３３、カメラモジュール３４およびメモリモジュール３５のそれぞれに貼着する（Ｓ１５）。
【００６９】
この後、それぞれの機能モジュール単位に分別する（Ｓ１６）。すなわち、表示モジュール３３、カメラモジュール３４およびメモリモジュール３５を、それぞれの機能モジュール別に分別する。一方、Ｂグループ・モジュールについては、再利用しないため、これらは廃棄処理工程へまわす（Ｓ２１）。
【００７０】
同一の機能モジュールごとに分別されたＡグループ・モジュールの表示モジュール３３、カメラモジュール３４およびメモリモジュール３５については、それぞれの分別機（図示せず）によりＩＤタグに記憶された履歴データを読み取る。つぎに、分別機は、あらかじめ設定した設定値と履歴データとを比較して、履歴データが設定値以内であるかどうかの判断を行う（Ｓ１７、Ｓ１８、Ｓ１９）。
【００７１】
比較した結果が設定値以内であれば再利用工程へまわし（Ｓ２０）、設定値を超えていれば廃棄処理工程へまわす（Ｓ２１）。なお、設定値を超えているとして廃棄処理工程へまわされたＡグループ・モジュールについては、貼着されたＩＤタグを回収してから廃棄処理工程へまわすことが望ましい。
【００７２】
以上のように本実施の形態によれば、携帯電話３１の使用期間終了後に再利用を検討する機能モジュールにあらかじめＩＤタグ機能部は設けられていない。携帯電話３１としては、履歴モジュール１０のみを新たに取り付けるだけでよい。したがって、携帯電話３１の設計や製造工程の変更等が最小限でよい。
【００７３】
なお、それぞれの機能モジュールの残存寿命を判断については、第１の実施の形態で説明したと同じようにすればよいので説明を省略する。
【００７４】
以上説明したように、本実施の形態では、携帯電話３１の使用期間中に所定の機能モジュールが寿命劣化に関連する環境条件に遭遇したかどうかを、その環境条件に対応するセンサ部１９で感知し、履歴データとして履歴モジュール１０に記憶させておくことができる。さらに、携帯電話３１の実際の使用時間等をデータ取込部１８で取込んで履歴モジュール１０に記憶させておくこともできる。この結果、携帯電話３１の使用期間終了後の回収時に、別に用意したＩＤタグにそれぞれの機能モジュールごとの履歴データを記憶させてから、それぞれの機能モジュールに貼着すれば、環境履歴も考慮して容易に残存寿命を判断して再利用可否を決定することができる。
【００７５】
さらに、これら再利用した機能モジュール１０を用いて新たに携帯電話３１を製造し、この再利用品からなる携帯電話３１が使用期間を終了した後に回収したときに、再利用した機能モジュールであるかどうかをＩＤタグの有無によって容易に判別することもできる。
【００７６】
また、履歴モジュール１０が携帯電話３１に装着される前に、再利用すべき機能モジュールのあらかじめ設定した限界値を記憶部１７に記憶させておいてもよい。このようにすれば、履歴モジュール１０から履歴データとそれぞれの機能モジュールの設定値とを読み取ってＩＤタグに記憶させることができる。これにより、分別機での判定をより容易に行うこともできる。
【００７７】
なお、履歴モジュール１０を電源モジュール９に接続する方法は、制御モジュール８を介して接続してもよいことは、第１の施の形態の場合と同じである。
【００７８】
なお、第１の実施の形態および第２の実施の形態では、履歴モジュール１０を別途設けて携帯電話１、３１に取り付けたが、本発明はこれに限定されない。例えば、携帯電話１、３１の制御モジュール８に、履歴モジュール１０の履歴制御部２０、記憶部１７およびデータ取込部１８の機能を持たせてもよい。このようにすれば、履歴モジュール１０はセンサ部１９と制御モジュール８の機能の一部とで構成されることになり、履歴モジュール１０を取り付けることによる携帯電話１、３１のコストアップを最小限とすることもできる。
【００７９】
また、第１の実施の形態および第２の実施の形態では、携帯電話１、３１の機能モジュールを再利用する方法について説明したが、本発明はこれに限定されない。モバイル機器のように環境温度や衝撃等を受けやすい電子機器で、かつメモリや表示素子のように汎用的に使用されるモジュールであれば、本発明の機能モジュールの再利用方法を適用することができる。例えば、ＰＤＡのメモリモジュールや表示モジュール、ムービに使用されるメモリモジュールやハードディスクドライブ、自動車に搭載されるカーナビ用のメモリモジュールやハードディスクドライブ等がある。
【産業上の利用可能性】
【００８０】
本発明の機能モジュールの再利用方法は、使用期間終了後の電子機器の汎用的な機能モジュールに対して、環境履歴も考慮してその残存寿命を判断し、機能モジュールの再利用を推進するものであるから、各種の電子機器に対して有用である。
【図面の簡単な説明】
【００８１】
【図１】本発明の第１の実施の形態における機能モジュールの再利用方法において対象とする携帯電話の構成を示すブロック図
【図２】同実施の形態にかかる機能モジュールの再利用方法において、履歴モジュールの構成を示すブロック図
【図３】同実施の形態の機能モジュールの再利用方法の手順を示すフローチャート
【図４】本発明の第２の実施の形態における機能モジュールの再利用方法において対象とする携帯電話の構成を示すブロック図
【図５】同実施の形態の機能モジュールの再利用方法の手順を示すフローチャート
【符号の説明】
【００８２】
１，３１    携帯電話
２    操作モジュール
３，３３    表示モジュール
４    送・受信モジュール
５，３４    カメラモジュール
６    信号処理モジュール
７，３５    メモリモジュール
８    制御モジュール
９    電源モジュール
１０    履歴モジュール
１１    アンテナ
１４，１５，１６    ＩＤタグ機能部
１７    記憶部
１８    データ取込部
１９    センサ部
２０    履歴制御部
【図１】
2006259814.tif 000003
【図２】
2006259814.tif 000004
【図３】
2006259814.tif 000005
【図４】
2006259814.tif 000006
【図５】
2006259814.tif 000007